(57)【特許請求の範囲】
【請求項１】
第１の方向に向かって順番に表示走査が行われる画像表示パネルと、
光を発光する光源と、前記画像表示パネルの背面に配置され、前記画像表示パネルと対向する面の側面から前記光を入射して前記第１の方向と反対方向の第２の方向に向かって前記光を導光するとともに、前記光を透過する透過状態または前記光を散乱する散乱状態に制御可能な光変調層が前記第２の方向と交差する方向に分割された複数の領域に配置される導光体と、を備える光源装置と、
時間的に重複しないように前記第１の方向に向かって各領域に順番に割り当てられた各領域に対応する前記光変調層の散乱制御時間内に、各領域から前記画像表示パネルに対して出射する前記光の強度に応じて、各領域に対応する前記光変調層を各領域の前記側面からの距離に応じた時間の長さ散乱状態に制御する制御装置と、を有し、
前記複数の領域は、第１の領域と前記第１の領域よりも前記側面に近接する第２の領域を含み、
前記制御装置は、
前記第２の領域の前記散乱制御時間内の前記第２の領域に対応する前記光変調層を散乱状態に制御していないアイドル時間に、前記第１の領域に対応する前記光変調層を散乱状態に制御可能にして、各領域から前記画像表示パネルに対して出射可能な前記光の強度の上限を均一に上昇させる、
表示装置。
【請求項２】
前記制御装置は、
前記第２の領域の前記散乱制御時間に前記第２の領域に対応する前記光変調層を散乱状態に制御するとともに、前記第１の領域の前記光変調層も散乱状態に制御する、
請求項１に記載の表示装置。
【請求項３】
各領域の前記散乱制御時間の間中に各領域に対応する前記光変調層を散乱状態に制御した場合に各領域から前記画像表示パネルに対して出射する前記光の強度が均一である、
請求項１に記載の表示装置。
【請求項４】
画像表示パネルと、
光を発光する光源と、前記画像表示パネルの背面に配置され、前記画像表示パネルと対向する面の側面から前記光を入射するとともに、前記光を透過する透過状態または前記光を散乱する散乱状態に制御可能な光変調層が前記光の進行方向と交差する方向に分割された複数の領域に配置された導光体と、を備える光源装置と、
時間的に重複しないように設定された各領域に対応する前記光変調層の散乱制御時間内に、各領域から前記画像表示パネルに対して出射する前記光の強度に応じて、各領域の前記側面からの距離に応じた時間の長さで各領域に対応する前記光変調層を散乱状態に制御するとともに、各領域に割り当てられた前記散乱制御時間内の各領域に対応する前記光変調層を散乱状態に制御していない時間に前記光源からの前記光の発光を停止する制御装置と、を有し、
前記複数の領域は、第１の領域と前記第１の領域よりも前記側面に近接する第２の領域を含み、
前記制御装置は、
前記第２の領域の前記散乱制御時間内の前記第２の領域に対応する前記光変調層を散乱状態に制御していないアイドル時間に、前記第１の領域に対応する前記光変調層を散乱状態に制御可能にして、各領域から前記画像表示パネルに対して出射可能な前記光の強度の上限を均一に上昇させる、
表示装置。
【発明の詳細な説明】
【技術分野】
【０００１】
本発明は、表示装置に関する。
【背景技術】
【０００２】
表示装置に搭載されるエッジライト型の光源装置は、高コントラストの画像の表示、低消費電力化等のために、導光板に導光させた白色光を用いて導光板から部分的に光を出射する、部分駆動を行うことができる。このような表示装置に搭載される光源装置は、消費電力を増加させることなく、表示装置の動画ボケを改善するための技術が提案されている。
【先行技術文献】
【特許文献】
【０００３】
【特許文献１】特開２０１４−１０２２９５号公報
【発明の概要】
【発明が解決しようとする課題】
【０００４】
本発明は、画質の低下を低減する表示装置を提供する。
【課題を解決するための手段】
【０００５】
本発明の一態様は、第１の方向に向かって順番に表示走査が行われる画像表示パネルと、光を発光する光源と、前記画像表示パネルの背面に配置され、前記画像表示パネルと対向する面の側面から前記光を入射して前記第１の方向と反対方向の第２の方向に向かって前記光を導光するとともに、前記光を透過する透過状態または前記光を散乱する散乱状態に制御可能な光変調層が前記第２の方向と交差する方向に分割された複数の領域に配置される導光体と、を備える光源装置と、時間的に重複しないように前記第１の方向に向かって各領域に順番に割り当てられた各領域に対応する前記光変調層の散乱制御時間内に、各領域から前記画像表示パネルに対して出射する前記光の強度に応じて、各領域に対応する前記光変調層を各領域の前記側面からの距離に応じた時間の長さ散乱状態に制御する制御装置と、を有し、前記複数の領域は、第１の領域と前記第１の領域よりも前記側面に近接する第２の領域を含み、前記制御装置は、前記第２の領域の前記散乱制御時間内の前記第２の領域に対応する前記光変調層を散乱状態に制御していないアイドル時間に、前記第１の領域に対応する前記光変調層を散乱状態に制御可能にして、各領域から前記画像表示パネルに対して出射可能な前記光の強度の上限を均一に上昇させる、表示装置である。
【０００６】
また、本発明の一態様は、画像表示パネルと、光を発光する光源と、前記画像表示パネルの背面に配置され、前記画像表示パネルと対向する面の側面から前記光を入射するとともに、前記光を透過する透過状態または前記光を散乱する散乱状態に制御可能な光変調層が前記光の進行方向と交差する方向に分割された複数の領域に配置された導光体と、を備える光源装置と、時間的に重複しないように設定された各領域に対応する前記光変調層の散乱制御時間内に、各領域から前記画像表示パネルに対して出射する前記光の強度に応じて、各領域の前記側面からの距離に応じた時間の長さで各領域に対応する前記光変調層を散乱状態に制御するとともに、各領域に割り当てられた前記散乱制御時間内の各領域に対応する前記光変調層を散乱状態に制御していない時間に前記光源からの前記光の発光を停止する制御装置と、を有し、前記複数の領域は、第１の領域と前記第１の領域よりも前記側面に近接する第２の領域を含み、前記制御装置は、前記第２の領域の前記散乱制御時間内の前記第２の領域に対応する前記光変調層を散乱状態に制御していないアイドル時間に、前記第１の領域に対応する前記光変調層を散乱状態に制御可能にして、各領域から前記画像表示パネルに対して出射可能な前記光の強度の上限を均一に上昇させる、表示装置である。
【図面の簡単な説明】
【０００７】
【図１】第１の実施形態の表示装置の構成例を示す図である。
【図２】第２の実施形態の表示装置のハードウェア構成例を示す図である。
【図３】第２の実施形態の面状光源装置の構成例を示す平面図である。
【図４】第２の実施形態の面状光源装置の構成例を示す断面図である。
【図５】第２の実施形態の導光体の上部電極の構成例を示す平面図である。
【図６】第２の実施形態の導光体の下部電極の構成例を示す平面図である。
【図７】第２の実施形態の光変調層の作用を説明する模式図である。
【図８】第２の実施形態の面状光源装置の部分駆動の一例を示す図である。
【図９】第２の実施形態の表示装置に含まれる機能構成例を示す図である。
【図１０】第２の実施形態の表示装置に含まれる信号処理部の機能構成例を示す図である。
【図１１】第２の実施形態の面状光源装置の駆動パターンを示す図である。
【図１２】第３の実施形態の面状光源装置の駆動パターンを示す図である。
【図１３】第４の実施形態の面状光源装置の駆動パターンを示す図である。
【図１４】第５の実施形態の面状光源装置の駆動パターンを示す図である。
【図１５】第５の実施形態の面状光源装置の駆動パターンの変形例を示す図である。
【図１６】第６の実施形態の面状光源装置の駆動パターンを示す図である。
【図１７】第７の実施形態の面状光源装置の駆動パターンを示す図である。
【発明を実施するための形態】
【０００８】
以下、図面を参照して実施の形態について説明する。
なお、開示はあくまで一例にすぎず、当業者において、発明の主旨を保っての適宜変更について容易に想到し得るものについては、当然に本発明の範囲に含有されるものである。また、図面は説明をより明確にするため、実施の態様に比べ、各部の幅、厚さ、形状等について模式的に表される場合があるが、あくまで一例であって、本発明の解釈を限定するものではない。
また、本明細書と各図面において、既出の図に関して前述したものと同様の要素には、同一の符号を付して、詳細な説明を適宜省略することがある。
【０００９】
［第１の実施形態］
第１の実施形態の表示装置について、図１を用いて説明する。図１は、第１の実施形態の表示装置の構成例を示す図である。
【００１０】
表示装置１は、画像表示パネル１０と、光源装置２０と、制御装置３０を備える。
画像表示パネル１０は、所定の画像を表示する。画像表示パネル１０は、第１の方向に向かって順番に表示走査が行われる。
光源装置２０は、画像表示パネル１０に光を出射する。光源装置２０は、光源２１と、導光体２２とを含む。光源２１は、光を発光する。
【００１１】
導光体２２は、画像表示パネル１０の背面に配置され、画像表示パネル１０と対向する面の側面２３から光源２１が発光した光を入射して第１の方向と反対方向の第２の方向に向かって光を導光するとともに、画像表示パネル１０に対して光を出射する。導光体２２は、第２の方向と交差する方向に分割された複数の領域（領域２２ａ、２２ｂ、２２ｃ、２２ｄ、２２ｅ、２２ｆ）を有する。各領域には、光を透過する透過状態または光を散乱する散乱状態に制御可能な光変調層が配置されている。
【００１２】
光変調層は、例えば、高分子分散型液晶層であり、電場を発生させることで透過状態または散乱状態に制御される。したがって、領域に対応する光変調層が透過状態である場合には、光は、当該領域を透過し、隣の領域（第２の方向）に進行する。一方、領域に対応する光変調層が散乱状態である場合には、光は、当該光変調層で散乱し、散乱した光の一部が当該領域から画像表示パネル１０に対して出射する。
【００１３】
制御装置３０は、光源装置２０を制御する。制御装置３０は、各領域に対応する光変調層の散乱制御時間に各領域に対応する光変調層に電場を発生させて各領域に対応する光変調層を散乱状態に制御する。各領域に対応する光変調層の散乱制御時間は、時間的に重複しないように第１の方向に向かって順番に割り当てられている。すなわち、制御装置３０は、各領域に対応する光変調層を、時間的に重複しないように順番に散乱状態に（散乱状態の光変調層を含む領域が１箇所だけになるように）制御する。
【００１４】
このように制御装置３０が各領域に対応する光変調層の散乱制御時間に各領域に対応する光変調層を散乱状態に制御することで、光源装置２０は、光変調層が散乱状態に制御された領域から順々に光を画像表示パネル１０に対して出射する部分駆動で駆動する。
【００１５】
ここで、制御装置３０が、散乱制御時間に各領域に対応する光変調層を散乱状態に制御して、光源装置２０を部分駆動する場合の具体例について説明する。例えば、制御装置３０が領域２２ｂに対応する光変調層に対して電場を発生させて散乱状態に制御する場合、光源２１が発光した光は、側面２３から導光体２２に入射し、光変調層が透過状態に制御されている領域２２ａ内を通過する。そして、光源２１が発光した光は、散乱状態に制御された領域２２ｂに対応する光変調層で散乱し、散乱した光のうち画像表示パネル１０側に向かう光が領域２２ｂから画像表示パネル１０に対して出射する。
【００１６】
一方、制御装置３０が領域２２ｅに対応する光変調層に対して電場を発生させて散乱状態に制御する場合、光源２１が発光した光は、側面２３から導光体２２に入射し、光変調層が透過状態に制御されている領域２２ａ、２２ｂ、２２ｃ、２２ｄ内を通過する。そして、光源２１が発光した光は、散乱状態に制御された領域２２ｅに対応する光変調層で散乱し、散乱した光のうち画像表示パネル１０側に向かう光が領域２２ｅから画像表示パネル１０に対して出射する。
【００１７】
このように、光源２１が発光した光は、画像表示パネル１０に対して光を出射する領域の側面２３からの距離が遠くなればなるほど、導光体２２から出射するまでに通過する領域の数が多くなる。ところで、光は領域内を通過する際に強度が変化（減衰）する恐れがあることが知られている。光の強度は、例えば、光の輝度、明度等である。
【００１８】
したがって、制御装置３０が全領域を同じ駆動条件で光源装置２０を部分駆動させると、導光体２２から出射する光の強度が、領域毎にずれる恐れがある。そのため、制御装置３０は、領域毎に制御態様を変化させることが望まれる。
【００１９】
そこで、制御装置３０は、各領域に対応する光変調層の散乱制御時間内に、各領域から画像表示パネルに対して出射する光の強度に応じて、各領域に対応する光変調層を各領域の側面２３からの距離に応じた時間の長さ散乱状態に制御する。
【００２０】
具体的には、制御装置３０は、所定の強度の光を各領域から出射させる場合、散乱状態に制御する光変調層を含む領域が側面２３から遠くなればなるほど、光変調層が散乱状態になる時間が長くなるように、電場を発生させる時間の長さを制御する。
【００２１】
このように各領域から画像表示パネルに対して出射する光の強度に応じて、各領域に対応する光変調層を各領域の側面２３からの距離に応じた時間の長さ散乱状態に制御することで、制御装置３０は、領域間における光の強度のずれを抑止できる。
【００２２】
これにより、制御装置３０は、光源装置２０を部分駆動させる場合に、各領域から出射する光の強度が所望の強度からずれるのを抑止できる。その結果、表示装置１は、画質の低下を低減できる。
【００２３】
［第２の実施形態］
第２の実施形態では、第１の実施形態の表示装置をより具体的に説明する。
まず、第２の実施形態の表示装置のハードウェア構成例について図２を用いて説明する。図２は、第２の実施形態の表示装置のハードウェア構成例を示す図である。
【００２４】
表示装置１００は、図１に示した表示装置１の一実施形態であって、制御ユニット１００ａによって装置全体が制御されている。
【００２５】
制御ユニット１００ａは、ＣＰＵ（Central Processing Unit）１００ａ１と、ＲＡＭ（Random Access Memory）１００ａ２と、ＲＯＭ（Read Only Memory）１００ａ３と、複数の周辺機器とがバス１００ｆを介して相互に信号を出入力可能に接続されている。
【００２６】
ＣＰＵ１００ａ１は、ＲＯＭ１００ａ３に格納されるＯＳ（Operating System）のプログラムやアプリケーションプログラム、ＲＡＭ１００ａ２に展開される各種データに基づいて表示装置１００全体の制御を行う。処理実行時にはＲＡＭ１００ａ２に一時的に格納されたＯＳのプログラムやアプリケーションプログラムによって動作するとしてもよい。
【００２７】
ＲＡＭ１００ａ２は、制御ユニット１００ａの主記憶装置として使用される。ＲＡＭ１００ａ２には、ＣＰＵ１００ａ１に実行させるＯＳのプログラムやアプリケーションプログラムの少なくとも一部が一時的に格納される。また、ＲＡＭ１００ａ２には、ＣＰＵ１００ａ１による処理に必要な各種データが格納される。
【００２８】
ＲＯＭ１００ａ３は、読み出し専用の半導体記憶装置で、ＯＳのプログラムと、アプリケーションプログラム、書き替えをしない固定データが格納される。また、ＲＯＭ１００ａ３の代わり、あるいはＲＯＭ１００ａ３に加えて、二次記憶装置としてフラッシュメモリ等の半導体記憶装置を使用することもできる。
【００２９】
バス１００ｆに接続されている周辺機器としては、表示用ドライバＩＣ（Integrated Circuit）１００ｂ、ＬＥＤ（Light Emitting Diode）ドライバＩＣ１００ｃ、入出力インタフェース１００ｄ、通信インタフェース１００ｅがある。
【００３０】
表示用ドライバＩＣ１００ｂには、画像表示パネル２００が接続されている。表示用ドライバＩＣ１００ｂは、画像表示パネル２００に出力信号を出力することによって画像表示パネル２００に画像を表示する。表示用ドライバＩＣ１００ｂは、後述する画像表示パネル駆動部の少なくとも一部の機能を実現することも可能である。
【００３１】
ＬＥＤドライバＩＣ１００ｃには、面状光源装置３００（第１の実施形態の光源装置２０の一実施形態）が接続されている。ＬＥＤドライバＩＣ１００ｃは、後述する光源制御信号に応じて光源を駆動し、面状光源装置３００から出射する光の輝度を制御する。ＬＥＤドライバＩＣ１００ｃは、後述する面状光源装置駆動部（第１の実施形態の制御装置３０の一実施形態）の少なくとも一部の機能を実現する。
【００３２】
入出力インタフェース１００ｄには、利用者の指示を入力する入力装置が接続される。例えば、キーボードや、ポインティングデバイスとして使用されるマウス、タッチパネル等の入力装置が接続される。入出力インタフェース１００ｄは、入力装置から送られてくる信号をＣＰＵ１００ａ１に送信する。
【００３３】
通信インタフェース１００ｅは、ネットワーク１０００に接続されている。通信インタフェース１００ｅは、ネットワーク１０００を介して、他のコンピュータまたは通信機器との間でデータの送受信を行う。
【００３４】
以上のようなハードウェア構成によって、本実施形態の処理機能を実現することができる。
【００３５】
次に、面状光源装置３００の構成例について、図３〜図６を用いて説明する。図３は、第２の実施形態の面状光源装置の構成例を示す平面図であり、図４は、第２の実施形態の面状光源装置の構成例を示す断面図である。図５は、第２の実施形態の導光体の上部電極の構成例を示す平面図である。図６は、第２の実施形態の導光体の下部電極の構成例を示す平面図である。
【００３６】
面状光源装置３００は、画像表示パネル２００の背面側に配置されて、画像表示パネル２００の背面で発光する。面状光源装置３００は、導光体３１０と、導光体３１０の少なくとも一側面を入射面Ｅとして、この入射面Ｅに対向する位置に光源３０３ａ〜３０３ｊを配列したサイドライト光源３０２と、を備えている。
【００３７】
サイドライト光源３０２の光源３０３ａ〜３０３ｊは、発光ダイオード（ＬＥＤ）であり、個々に独立して電流またはＰＷＭ値（デューティ比等）が制御可能に構成されている。光源３０３ａ〜３０３ｊ（図３）は、導光体３１０の一側面に沿って並んでおり、光源３０３ａ〜３０３ｊが並ぶ方向を光源配列方向ＬＹとしたとき、光源配列方向ＬＹに直交する入射方向ＬＸに向けて、入射面Ｅから導光体３１０へ光源３０３ａ〜３０３ｊからの光が入射する。光源３０３ａ〜３０３ｊは、発光ダイオードに限らず、半導体レーザーも用いることができる。
【００３８】
導光体３１０は、その側面に配置したサイドライト光源３０２（光源３０３ａ〜３０３ｊ）からの光を導光体３１０の上面に導くものである。導光体３１０は、面状光源装置３００の上面側に配置される画像表示パネル２００に対応した形状となっている。導光体３１０は、光の進行方向と交差する方向に分割された複数の領域からなる。なお、本実施形態では、サイドライト光源３０２が配置された側面と反対の側面側の領域から、（１）〜（６）までの数字が順番に割り当てられている。
【００３９】
面状光源装置駆動部５００は、サイドライト光源３０２（光源３０３ａ〜３０３ｊ）及び導光体３１０に信号が送信可能に接続されている。面状光源装置駆動部５００は、導光体３１０の領域（１）〜（６）の出射面（画像表示パネル２００と対向する面）から順々に光を出射させる部分駆動で面状光源装置３００を駆動する。部分駆動については、後で図８を用いて詳細に説明する。
【００４０】
ここで図４を用いて面状光源装置３００についてより具体的に説明する。面状光源装置３００は、サイドライト光源３０２と、導光体３１０と、導光体３１０の背面（画像表示パネル２００と対向する面と反対の面）に設けられた反射シート３３０とを含んで構成される。
【００４１】
反射シート３３０は、導光体３１０の背面（図４中下面）から漏れ出てきた光を導光体３１０側に戻すものであり、例えば、反射、拡散、散乱等の機能を有している。これにより、サイドライト光源３０２からの入射した光を効率的に利用することができ、また、面状光源装置３００の出射面から出射する光の輝度の向上に寄与する。反射シート３３０は、例えば、発泡ＰＥＴ（ポリエチレンテレフタレート）や銀蒸着フィルム、多層膜反射フィルム、白色ＰＥＴ等を用いることができる。なお、図４では、反射シート３３０は空気層を介して積層したものであり、光学的には密着していない。
【００４２】
導光体３１０は、透明基板３１１と、上部電極３１２と、配向膜３１３と、光変調層３１４及びスペーサ３１５と、配向膜３１６と、下部電極３１７と、透明基板３１８が順に配置されたものである。
【００４３】
透明基板３１１，３１８は、光変調層３１４を支持するものであり、一般に、可視光に対して透明な基板、例えば、ガラス板や、プラスチックフィルムによって構成されている。
【００４４】
上部電極３１２は、透明基板３１１に透明基板３１８と対向する面に設けられた透明電極である。ここで上部電極３１２について図５を用いて説明する。上部電極３１２は、例えば、図５に示されるように、面内のそれぞれの領域に対応してサイドライト光源３０２の延在方向と平行な方向に延在する帯状の形状に設けられている。
【００４５】
上部電極３１２は、領域（１）〜（６）に対応する上部電極３１２毎に異なる配線３１２ａに接続する。上部電極３１２は、それぞれ接続した配線３１２ａにより電気的に接続される。上部電極３１２は、配線３１２ａの端部の接続端子３１２ｂに面状光源装置駆動部５００からの信号に応じた電圧が印加される。その結果、上部電極３１２は、領域（１）〜（６）に対応する上部電極３１２毎に制御される。図４に戻って説明を続ける。
【００４６】
下部電極３１７は、透明基板３１８に透明基板３１１と対向するように設けられたものである。ここで下部電極３１７について図６を用いて説明する。下部電極３１７は、図６に示されるように、面内の領域と平行な方向であって、上部電極３１２と相対するように延在する帯状の形状となっている。下部電極３１７は、接続した配線３１７ａにより電気的に接続されて、配線３１７ａの端部の接続端子３１７ｂに面状光源装置駆動部５００からの信号に応じた電圧が印加される。なお、各領域に対応する光変調層には、各領域に対応する上部電極３１２と下部電極３１７との電圧差（以下、電極間の電圧差）に対応する電場が発生する。なお、上部電極３１２及び下部電極３１７の形状は、領域毎に独立して領域に対応する光変調層に電場を発生できればよく、上記形状に限定されない。図４に戻って説明を続ける。
【００４７】
配向膜３１３，３１６は、例えば、光変調層３１４に用いられる液晶性分子３１４ｂを配向させるものである。配向膜の種類としては、例えば、垂直用配向膜及び水平用配向膜がある。
【００４８】
スペーサ３１５は、透明基板３１１，３１８の間隔を制御する。スペーサ３１５は、光を透過する透明な材料で形成される。スペーサ３１５は、上部電極３１２及び下部電極３１７と重ならない領域に形成される。スペーサ３１５は、透過状態の光変調層３１４よりもより光を透過する。したがって、スペーサ３１５を設けることで光変調層３１４を全面に設ける場合よりも、導光体３１０内を進行する光の減衰（輝度の低下）を抑止できる。なお、導光体３１０は、スペーサ３１５を備えていなくてもよい。
【００４９】
光変調層３１４は、高分子分散型液晶層であって、液晶性モノマー３１４ａと液晶性モノマー３１４ａ内に分散された複数の液晶性分子３１４ｂとを含んだ複合層により構成されている。液晶性モノマー３１４ａ及び液晶性分子３１４ｂは同じ光学異方性を有している。
【００５０】
このような光変調層３１４の作用について図７を用いて説明する。図７は、第２の実施形態の光変調層の作用を説明する模式図である。なお、図７（Ａ），（Ｂ）に記載の光軸Ａｘ１，Ａｘ２は、偏光方向によらず屈折率が一つの値になるような光線の進行方向と平行な線であって、図７（Ａ），（Ｂ）中の液晶性モノマー３１４ａ及び液晶性分子３１４ｂにそれぞれ模式的に表している。
【００５１】
まず、領域に対応する電極間に電圧差がなく当該領域の光変調層３１４に電場が発生しない場合について図７（Ａ）を用いて説明する。
【００５２】
この場合には、液晶性モノマー３１４ａの光軸Ａｘ１及び液晶性分子３１４ｂの光軸Ａｘ２の向きが互いに一致する（平行となる）構造となっている（図７（Ａ））。また、光軸Ａｘ１及び光軸Ａｘ２の向きは常に互いに完全に一致している必要はなく、光軸Ａｘ１の向きと光軸Ａｘ２の向きとが、例えば、製造誤差等によって多少ずれていてもよい。
【００５３】
また、光変調層に電場を発生させていないときは、液晶性分子３１４ｂの光軸Ａｘ２は透明基板３１１，３１８の表面と直交している。一方、液晶性モノマー３１４ａは、図７（Ａ），（Ｂ）に示されるように、光変調層３１４の電場の有無に関わらず、液晶性モノマー３１４ａの光軸Ａｘ１は透明基板３１１，３１８の表面と直交するような構造となる。なお、光軸Ａｘ２は常に透明基板３１１，３１８の表面と完全に直交している必要はなく、例えば、製造誤差等によって透明基板３１１，３１８の表面と９０度以外の角度で交差していてもよい。また、光軸Ａｘ１が常に透明基板３１１，３１８の表面と完全に直交している必要はなく、例えば、製造誤差等によって透明基板３１１，３１８の表面と９０度以外の角度で交差していてもよい。
【００５４】
ここで、液晶性モノマー３１４ａ及び液晶性分子３１４ｂの常光屈折率は互いに等しく、かつ、液晶性モノマー３１４ａ及び液晶性分子３１４ｂの異常光屈折率が互いに等しいことが好ましい。この場合に、例えば、電極間の電圧差がなく光変調層３１４に電場が発生していない時には、図７（Ａ）に示されるように、あらゆる方向において屈折率差がほとんどなく、高い透明性が得られる。これにより、例えば、正面（図７中上部）方向に向かう光Ｌ１及び斜め（図７中斜め上）方向に向かう光Ｌ２や光Ｌ３は、光変調層３１４内で散乱されることなく、光変調層３１４を透過する。
【００５５】
次いで、光変調層３１４に関して、（出射面の任意の領域に対応する）電極間の電圧差により光変調層３１４に電場を発生させる場合について説明する。
【００５６】
この場合には、液晶性分子３１４ｂが電極間の電圧差により光変調層３１４に発生した電場により、光軸Ａｘ２が傾斜するため、液晶性モノマー３１４ａの光軸Ａｘ１及び液晶性分子３１４ｂの光軸Ａｘ２の向きが互いに異なる（交差する）構造となる（図７（Ｂ））。また、液晶性分子３１４ｂは、例えば、電極間の電圧差により光変調層３１４に電場が発生している時に、液晶性分子３１４ｂの光軸Ａｘ２が透明基板３１１，３１８の表面と９０度以外の角度で交差するか、または、平行となるような構造となる。したがって、電極間の電圧差により光変調層３１４に電場が発生している時には、光変調層３１４では、あらゆる方向において屈折率差が大きくなり、高い散乱性が得られる。これにより、例えば、図７（Ｂ）に示されるように、正面方向に向かう光Ｌ１及び斜め方向に向かう光Ｌ２や光Ｌ３は、光変調層３１４内で散乱される。
【００５７】
なお、液晶性モノマー３１４ａ及び液晶性分子３１４ｂの常光屈折率は、例えば、製造誤差等により多少ずれていてもよく、例えば、０．１以下であることが好ましく、０．０５以下であることがより好ましい。また、液晶性モノマー３１４ａ及び液晶性分子３１４ｂの異常光屈折率も、例えば、製造誤差等によって多少ずれていてもよく、例えば、０．１以下であることが好ましく、０．０５以下であることがより好ましい。
【００５８】
また、液晶性モノマー３１４ａの屈折率差（Δｎ0＝異常光屈折率ｎ0−常光屈折率ｎ1）と、液晶性分子３１４ｂの屈折率差（Δｎ1＝異常光屈折率ｎ2−常光屈折率ｎ3）は、できるだけ大きいことが好ましく、０．０５以上であることが好ましく、０．１以上であることがより好ましく、０．１５以上であることがさらに好ましい。液晶性モノマー３１４ａ及び液晶性分子３１４ｂの屈折率差が大きい場合には、光変調層３１４の散乱能が高くなり、導光体３１０の導光条件を容易に破壊することができ、導光体３１０から光を取り出しやすくなる。
【００５９】
このような光変調層３１４に含まれる液晶性モノマー３１４ａは、例えば、電場に対して応答しない筋状構造もしくは多孔質構造となっているか、または、液晶性分子３１４ｂの応答速度よりも遅い応答速度を有する棒状構造となっている。液晶性モノマー３１４ａは、例えば、液晶性分子３１４ｂの配向方向または配向膜３１３，３１６の配向方向に沿って配向した、配向性及び重合性を有する材料（例えばモノマー）を熱及び光の少なくとも一方によって重合させることにより形成されている。一方、液晶性分子３１４ｂは、例えば、液晶材料を主に含んで構成されており、液晶性モノマー３１４ａの応答速度よりも十分に早い応答速度を有している。
【００６０】
配向性及び重合性を有するモノマーとしては、光学的に異方性を有しており、かつ液晶と複合する材料であればよく、特に、紫外線で硬化する低分子モノマーであることが好ましい。電場が発生していない状態で、液晶と、低分子モノマーを重合化した後のもの（高分子材料）との光学的異方性の方向が一致していることが好ましいので、紫外線硬化前において、液晶と低分子モノマーが同一方向に配向していることが好ましい。液晶性分子３１４ｂとして液晶が用いられる場合に、その液晶が棒状分子であるときには、使用するモノマー材料の形状も棒状であることが好ましい。以上のことから、モノマー材料としては重合性と液晶性を併せ持つ材料を用いることが好ましく、例えば、重合性官能基として、アクリロイルオキシ基と、メタクリロイルオキシ基と、ビニルエーテル基と、エポキシ基とからなる群から選ばれた少なくとも１つの官能基を有することが好ましい。これらの官能基は、紫外線、赤外線または電子線を照射したり、加熱したりすることによって重合させることができる。紫外線照射時の配向度低下を抑制するために、多官能基をもつ液晶性材料を添加することもできる。また、配向膜３１３，３１６を用いない場合は、磁場や電場等の外場によってこれら材料を配向させた状態を一時的に作りだし、紫外線や熱等によってモノマーを硬化させることで、配向状態を作りだすこともできる。
【００６１】
なお、電場によって透過状態から散乱状態へと遷移するタイプ（ここでは「ノーマリー透明」とする）を示したが、電場によって散乱状態から透過状態へと遷移するタイプ（ここでは「ノーマリー散乱」とする）でもよい。また、導光体３１０としては、サイドライト光源３０２から出射された光が面状内部から全体もしくは部分的に入射させる機能があればよく、透過・散乱だけではなく、回折、屈折等の光学現象を利用することができる。しかしながら、ディスプレイ用照明装置の応用を考えた場合では、入射された光を遠くまで導光させ、効率よく導光体３１０から発光させるという観点において、ノーマリー透明タイプの導光体が好ましい。以下、ノーマリー透明タイプの導光体を用いて説明する。
【００６２】
次に部分駆動について説明する。図８は、第２の実施形態の面状光源装置の部分駆動の一例を示す図であり、導光体３１０の領域（５）から光が出射するように面状光源装置３００が面状光源装置駆動部５００によって制御されている。
【００６３】
導光体３１０の領域（６）に対応する光変調層３２０は、領域（６）に対応する電極間に電圧差が発生していない状態（電圧無印加状態）であり、図７（Ａ）に相当する透過状態である。
【００６４】
導光体３１０の領域（５）に対応する光変調層３２１は、領域（５）に対応する電極間に電圧差が発生している状態（電圧印加状態）であり、図７（Ｂ）に相当する散乱状態である。
【００６５】
サイドライト光源３０２から出射された光Ｌ４は、導光体３１０の側面から入射し、透明基板３１１と透明基板３１８との間で全反射を繰り返し、図８の水平方向に進行（導光される）する。
【００６６】
光変調層３２０は、電圧無印加状態であるため、液晶性モノマー３１４ａと、液晶性分子３１４ｂの光軸の向きが互いに一致し、屈折率差がほとんどない。したがって、光変調層３２０に対応する領域（６）に入射した光Ｌ４は、散乱せずにそのまま透過し、水平方向（領域（５）側）に進行する。すなわち、電圧無印加状態に制御された光変調層３２０を含む領域（６）の出射面から、光が出射されない。
【００６７】
光変調層３２１は、電圧印加状態であるため、液晶性モノマー３１４ａと、液晶性分子３１４ｂの光軸の向きが異なり、屈折率差があらゆる方向で大きくなる。したがって、光変調層３２１に対応する領域（５）に入射した光Ｌ４は散乱される。そして散乱した光Ｌ４のうち画像表示パネル２００側に向かう光の一部が導光体３１０から出射される。その結果、電圧印加状態に制御された光変調層３２１を含む領域（５）から画像表示パネル２００に対して、光が出射される。また、散乱した光Ｌ４のうち反射シート３３０側に向かう光の一部は導光体３１０から出射し、反射シート３３０により反射され、導光体３１０内部に戻され、導光体３１０の画像表示パネル２００側から出射する。したがって反射シート３３０を配置することで導光体３１０の出射面から出射する輝度を高めることができる。
【００６８】
このように面状光源装置駆動部５００は、各領域に対応する電極間の電圧差により光変調層に電場を発生させることで、各領域に対応する光変調層で光を散乱させ、導光体３１０の出射面の任意の領域から光を出射させることができる。
【００６９】
次に、このような構成を含む表示装置１００が備える機能構成例について、図９を用いて説明する。図９は、第２の実施形態の表示装置に含まれる機能構成例を示す図である。
【００７０】
表示装置１００は、画像出力部１１０と、信号処理部１２０と、画像表示パネル２００と、面状光源装置３００と、画像表示パネル駆動部４００と、面状光源装置駆動部５００とを有する。
【００７１】
画像出力部１１０は、画像信号を信号処理部１２０に出力する。画像信号には、画像表示パネル２００の各画素２０１に対応する色情報（表示部に表示される画像の情報）が設定されている。
【００７２】
信号処理部１２０は、画像表示パネル２００を駆動する画像表示パネル駆動部４００と、面状光源装置３００を駆動する面状光源装置駆動部５００とに接続する。信号処理部１２０は、画像信号に基づいて、画像表示パネル２００に表示する表示用信号を生成し、画像表示パネル駆動部４００へ出力する。また、信号処理部１２０は、画像信号に基づいて、面状光源装置３００を駆動する光源制御信号を生成し、面状光源装置駆動部５００へ出力する。
【００７３】
画像表示パネル２００は、表示面を分割した分割領域を表示単位として表示を行う。この表示単位を画素２０１とする。例えば、Ｐ×Ｑ個の画素２０１が、マトリクス状に配列されて表示面を構成する。
【００７４】
画素２０１は、赤色（Ｒ）、緑色（Ｇ）、青色（Ｂ）の３つの副画素で構成される。なお、赤色（Ｒ）、緑色（Ｇ）、青色（Ｂ）は、一例であり、例えば白色を加えた４つの副画素で１画素を構成してもよいし、シアン、マゼンタ、イエロー等、他の色で構成してもよい。
【００７５】
画像表示パネル駆動部４００は、信号出力回路４１０と、走査回路４２０とを備え、画像表示パネル２００を駆動する。画像表示パネル駆動部４００は、表示用信号に基づく走査信号を走査回路４２０から順に出力することによって画素２０１を選択し、表示用信号に基づく映像信号を信号出力回路４１０から順に出力することによって、画素２０１の動作（光透過率）を制御する。なお、本実施形態では、走査回路は、図９の下側から上側に向かって順々に走査信号による映像走査（表示走査）を行う。
【００７６】
面状光源装置３００は、画像表示パネル２００の背面に配置され、画像表示パネル２００に向けて光を出射する。面状光源装置３００は、画像表示パネル２００の走査回路の走査方向（図９の下側から上側に向かう方向）とサイドライト光源３０２の光の進行方向が平行で、かつ逆向きになるように配置される。すなわち、面状光源装置３００は、導光体３１０の領域（１）に対応する部分（画素２０１）から領域（６）に対応する部分（画素２０１）に向かって順々に映像信号による映像走査が行われるように画像表示パネル２００に対して配置される。
【００７７】
面状光源装置駆動部５００は、光源駆動回路５１０と、光変調駆動回路５２０とを備える。光源駆動回路５１０は、信号処理部１２０から出力される光源制御信号に基づいて、面状光源装置３００のサイドライト光源３０２が発光する光の出力を制御する。光変調駆動回路５２０は、信号処理部１２０から出力される光源制御信号に基づいて、上部電極３１２と下部電極３１７の電圧を制御して、各領域に対応する光変調層３１４に発生させる電場を制御する。これによって、面状光源装置駆動部５００は、面状光源装置３００（導光体３１０）の出射面における光の輝度を制御する。
【００７８】
なお、信号処理部１２０の処理動作は、図２に示した表示用ドライバＩＣ１００ｂまたはＣＰＵ１００ａ１等によって実現される。表示用ドライバＩＣ１００ｂで実現する場合には、ＣＰＵ１００ａ１を介して入力信号が表示用ドライバＩＣ１００ｂに入力される。表示用ドライバＩＣ１００ｂは、表示用信号を生成し、画像表示パネル２００を制御する。また、光源制御信号を生成し、バス１００ｆを介してＬＥＤドライバＩＣ１００ｃに出力する。
【００７９】
ＣＰＵ１００ａ１によって実現する場合には、表示用ドライバＩＣ１００ｂには、ＣＰＵ１００ａ１から表示用信号が入力される。また、光源制御信号もＣＰＵ１００ａ１によって生成され、バス１００ｆを介してＬＥＤドライバＩＣ１００ｃに出力される。
【００８０】
次に、表示装置１００の信号処理部１２０がさらに備える機能構成例について、図１０を用いて説明する。図１０は、第２の実施形態の表示装置に含まれる信号処理部の機能構成例を示す図である。
【００８１】
信号処理部１２０は、画像解析部１２１と、光源データ記憶部１２２と、駆動パターン決定部１２３と、画像処理部１２４と、タイミング生成部１２５とを有する。信号処理部１２０には、画像出力部１１０から画像信号が入力される。
【００８２】
画像解析部１２１は、画像信号を解析して、画像表示パネル２００に表示される画像に基づいた面状光源装置３００の各領域から出射する光の要求輝度値（以下、各領域の要求輝度値）を算出する。要求輝度値は、出射する光が要求される輝度値であり、面状光源装置３００は、要求輝度値を満たすように制御される。
【００８３】
画像解析部１２１は、１画像表示フレーム前の画像信号を解析して、１画像表示フレーム前の画像から、当該１画像表示フレームにおける導光体３１０の各領域の要求輝度値を算出する。例えば、画像解析部１２１は、１画像表示フレーム前の画像信号を解析して、出射面全面の要求輝度値を算出する。なお、出射面全面の要求輝度値は予め設定した固定値であってもよい。また、画像解析部１２１は、１画像表示フレーム前の各領域に対応する画像信号（画像表示パネル２００の各領域に対応する部分に表示する画像を確定するために必要な信号）を解析して、領域毎の要求輝度値を算出してもよい。
【００８４】
または、画像解析部１２１は、１画像表示フレームの各領域に対応する画像信号が入力される毎に、入力された各領域に対応する画像信号を解析して、各領域の光の要求輝度値を算出する。なお、画像解析部１２１は、各領域を光の進行方向と平行に分割した２次元配列のブロック毎に要求輝度値を算出してもよいし、画素２０１毎に要求輝度値を算出してもよい。
【００８５】
光源データ記憶部１２２は、輝度分布情報を記憶する。輝度分布情報は、光源３０３ａ〜３０３ｊ全てを所定の点灯量で点灯し、時分割で各領域に対応する光変調層３１４に所定の強さの電場を所定時間発生させたときに、各領域から画像表示パネル２００に向けて出射される光の輝度値である。光源データ記憶部１２２には、光の輝度値をテーブル形式で設定した輝度分布情報（光源ルックアップテーブル）が記憶される。
【００８６】
光源ルックアップテーブルは、表示装置１００に固有の情報であるので、事前に作成し、光源データ記憶部１２２に記憶しておく。なお、光源データ記憶部１２２は、画像表示パネル２００の表示面（面状光源装置３００の出射面）をｍ×ｎ（１≦ｍ≦Ｐ、１≦ｎ≦Ｑを満たす任意の整数）の領域に分割し、領域毎に検出される面状光源装置３００の輝度値を輝度分布情報として記憶してもよい。
【００８７】
駆動パターン決定部１２３は、各領域の要求輝度値と、光源ルックアップテーブルに基づきサイドライト光源３０２の点灯パターンと上部電極３１２及び下部電極３１７への電圧印加パターン（面状光源装置３００の駆動パターン）を決定する。
【００８８】
なお、このような光源３０３ａ〜３０３ｊに対する点灯パターンと、導光体３１０の上部電極３１２及び下部電極３１７に対する印加パターンとを含む駆動パターンの一例については後述する。
【００８９】
画像処理部１２４は、画像信号に基づいて、表示用信号を生成する。
タイミング生成部１２５は、面状光源装置駆動部５００による面状光源装置３００の各領域に対応する光変調層３１４を散乱状態に制御する（以下、出射走査）タイミングを制御するタイミング信号を生成する。タイミング生成部１２５は、画像処理部１２４の表示用信号の出力タイミングに応じた、タイミング信号を生成する。
【００９０】
次に、本実施形態の駆動パターンについて図１１を用いて説明する。図１１は、第２の実施形態の面状光源装置の駆動パターンを示す図である。なお、図１１は、面状光源装置３００が、出射面全面から均一に最大輝度（白表示）の光を出射する場合の駆動パターンを示している。
【００９１】
図１１に示したＬＥＤ電流のグラフは、横軸が時間で、縦軸が光源３０３ａ〜３０３ｊに供給される電流の値を示している。なお、図１１では、時間によらず一定のＬＥＤ電流ｉが光源３０３ａ〜３０３ｊに供給され、サイドライト光源３０２は、ＬＥＤ電流ｉに相当する輝度の光を導光体３１０に入射している。
【００９２】
また、図１１に示した一点鎖線は、映像走査の走査タイミングを示している。図１１では、映像走査は、開始からｄ1経過すると画像表示パネル２００の領域（１）に対応する画素（以下、画素（１））全てに対して終了する。また、画像表示パネル２００の映像走査は、ｄ2経過すると画像表示パネル２００の領域（２）に対応する画素（以下、画素（２））全てに対して終了する。同様にして画像表示パネル２００の映像走査は、ｄ3〜ｄ6経過すると画像表示パネル２００の領域（３）〜領域（６）に対応する画素（以下、画素（３）〜（６））全てに対して終了する。
【００９３】
そして、１画像表示フレームの画像表示パネル２００の映像走査は、開始からｄ6経過した時点で終了する。その後、Ｖ blank期間を経て、次の１画像表示フレームの映像走査が開始する。
【００９４】
また、図１１に示したｔ1〜ｔ6は、面状光源装置３００が各領域に対応する光変調層３１４を散乱状態に制御して各領域から光を出射させる時間として割り当てられた、各領域の散乱制御時間を示している。
【００９５】
なお、散乱制御時間ｔ1〜ｔ6の合計の長さは、１画像表示フレームと同一の長さである。図１１では、散乱制御時間ｔ1〜ｔ6それぞれの長さは、１画像表示フレームの長さを領域の数に合わせて６等分した長さに設定されている。また、各領域の散乱制御時間ｔ1〜ｔ6は、各領域に映像走査が行われているタイミングで当該領域の出射走査が行われないように（各領域から光を出射させる時間が、当該領域に対応する画素に対する映像走査が全て終了した後になるように）設定されている。
【００９６】
散乱制御時間ｔ1〜ｔ6は、映像走査開始からｄ1（領域（１）の映像走査終了後）経過した後に開始し、次の１画像表示フレームの映像走査開始からｄ1経過後に終了している。すなわち、図１１では出射走査が映像走査よりもｄ1だけ遅れて行われている。
【００９７】
このような映像走査と出射走査のタイミングによれば、表示装置１００は、各領域の出射走査を、確実に、画像表示パネル２００の各領域に対応する画素２０１の映像走査が終了した後にできる。したがって、上記タイミングによれば、表示装置１００は、画像表示パネル２００の画素２０１が映像走査されている間に、面状光源装置３００が当該画素２０１に光を照射するのを抑止できる。これにより、表示装置１００は、動画ボケを抑止できる。
【００９８】
さらに、上記タイミングによれば、駆動パターン決定部１２３は、画像解析部１２１が１画像表示フレームの各領域に対応する画像信号が入力される毎に、入力された各領域に対応する画像信号を解析して算出した各領域の光の要求輝度値を用いて駆動パターンを決定することもできる。画像信号は順々に入力されるため、１画像表示フレームの映像走査開始時点では、当該１画像表示フレームにおける画像表示パネル２００の各領域に対応する部分の画像は確定していない。そのため、１画像表示フレームの映像走査開始時点では、画像解析部１２１は、当該１画像表示フレームの各領域に対応する画像信号を解析して、各領域の要求輝度値を算出できない。しかしながら、１画像表示フレームにおける各領域の出射走査を、当該１画像表示フレームにおける各領域に対応する画素２０１の映像走査が終了した後に行うことで、画像解析部１２１には、各領域の出射走査前までに各領域に対応する画像信号が入力される。
【００９９】
したがって、画像解析部１２１は、１画像表示フレームにおける各領域の出射走査前までには、当該１画像表示フレームの各領域に対応する画像信号を解析して、各領域の要求輝度値を算出できる。これにより、駆動パターン決定部１２３は、画像解析部１２１が各領域に対応する部分の画像を解析して算出した各領域の要求輝度値を出射走査前までに取得して、面状光源装置３００の各領域の駆動パターンを決定できる。
【０１００】
つまり、駆動パターン決定部１２３は、１画像表示フレーム前の画像信号により算出された各領域の要求輝度値よりも、当該１画像表示フレームで表示する画像に適した各領域の要求輝度値を用いて面状光源装置３００の各領域の駆動パターンを決定できる。これにより、表示装置１００は、画質を向上させることができる。
【０１０１】
また、図１１に示した散乱制御時間ｔ1では面状光源装置３００は、領域（１）に対応する光変調層３１４にｔ1a（ｔ1＝ｔ1a）の間、電圧差ｖに対応する電場を発生させて散乱状態に制御し、ＬＥＤ電流ｉに相当する光を導光体３１０に入射している。
【０１０２】
また、散乱制御時間ｔ2では面状光源装置３００は、領域（２）に対応する光変調層３１４にｔ2a（＞ｔ1a）の間、電圧差ｖに対応する電場を発生させて散乱状態に制御し、ＬＥＤ電流ｉに相当する光を導光体３１０に入射している。同様に、散乱制御時間ｔ3〜ｔ6では、面状光源装置３００は、領域（３）〜（６）に対応する光変調層３１４にｔ3a〜ｔ6a（＞ｔ2a〜ｔ5a）の間、電圧差ｖに対応する電場を発生させて散乱状態に制御し、ＬＥＤ電流ｉに相当する光を導光体３１０に入射している。
【０１０３】
通常、導光体３１０の側面に対して入射された光は、導光体３１０内を進行する（入射された側面側から離れる）につれて輝度が減衰（低下）する。そのため、全ての領域を同じ制御態様で制御すると、面状光源装置３００の出射面全面から均一な輝度の光を出射することができない。つまり、所望の輝度の光を各領域から出射するためには、各領域の距離による光の減衰（輝度の低下）を計算に入れた制御対応で制御することが望ましい。
【０１０４】
そこで、図１１では、表示装置１００は、要求輝度値と、光源ルックアップテーブルとに基づいて、距離による光の減衰を、光変調層３１４を散乱状態に制御する時間の長さにより補正した駆動パターンで面状光源装置３００を駆動している。
【０１０５】
すなわち、表示装置１００は、ＬＥＤ電流の値、及び電場の強さを全領域で固定し、電場を発生させる時間の長さだけを変化させた駆動パターンで面状光源装置３００を駆動している。
【０１０６】
このように各領域のサイドライト光源３０２までの距離に応じて、光変調層３１４を散乱状態に制御する時間の長さを補正することで、表示装置１００は、距離に応じた光の減衰を、光変調層３１４を散乱状態に制御する時間の長さにより補正できる。
【０１０７】
これにより、表示装置１００は、各領域から出射する光の輝度が、距離による光の減衰により要求された輝度からずれるのを抑止して、出射面の各領域から画像表示パネル２００に対して所望の輝度の光を発光することができる。
【０１０８】
なお、面状光源装置３００が、光源３０３ａ〜３０３ｊ毎に異なるＬＥＤ電流を供給し、各領域を光の進行方向と平行に分割した２次元配列のブロック毎に輝度を制御して光を出射する場合にも同様に適用できる。
【０１０９】
なお、図１１に示すサイドライト光源３０２のＬＥＤ電流を一定とし、散乱制御時間ｔ1〜ｔ6を均等に割り当てた構成において、出射面全面から均一な最大輝度の光を画像表示パネル１０に対して出射する場合、その輝度は、サイドライト光源３０２から最も遠い領域（１）において決まる。すなわち、領域（１）に対応する光変調層３１４を散乱制御時間ｔ1の間、散乱状態にしたときに得られる輝度が基準になる。領域（２）…領域（６）と、サイドライト光源３０２に近づくほど領域に入射する光の輝度が大きくなることから、散乱制御時間内において光変調層３１４が散乱状態にされ得る時間（制御時間）は、短くなる（ｔ1a＞ｔ2a＞ｔ3a＞ｔ4a＞ｔ5a＞ｔ6a）。つまり、散乱制御時間ｔ1〜ｔ6の内のｔ1a〜ｔ6aを除いた（減算した）残りの時間においては、出射する光の輝度にかかわらず、常に各領域に対応する光変調層３１４が散乱状態に制御されない（出射面から光が出射されない）。
【０１１０】
［第３の実施形態］
次に第３の実施形態について説明する。なお、第２の実施形態と同じものには同じ符号を付し、説明は省略する。図１１に示す第２の実施形態では、面状光源装置３００から出射可能な光の強度（最大強度）を全面で均一にするため、サイドライト光源３０２から最も遠い領域（１）における輝度に合わせ、サイドライト光源３０２に近い領域では光変調層３１４を散乱状態としないアイドル時間を設けていた。第３の実施形態では、第２の実施形態と同様に散乱制御時間を均等に設定する構成において、より全体の輝度を向上させる態様を示す。
【０１１１】
具体的な駆動パターンについて図１２を用いて説明する。図１２は、第３の実施形態の面状光源装置の駆動パターンを示す図である。なお、図１２は、面状光源装置３００が、出射面全面から均一に最大輝度（白表示）の光を出射する場合の駆動パターンを示している。特に図１１との相違点を中心に説明する。
【０１１２】
図１２では、面状光源装置３００は、各領域の散乱制御時間（ｔ２〜ｔ６）の内の光変調層３１４を散乱状態に制御していないアイドル時間（ｔ２ｂ，ｔ３ｂ，ｔ４ｂ，ｔ５ｂ，ｔ６ｂ）に光源３０３ａ〜３０３ｊを消灯（ＬＥＤ電流を０に）している。そして、面状光源装置３００は、制御時間（ｔ１ａ，ｔ２ａ，ｔ３ａ，ｔ４ａ，ｔ５ａ，ｔ６ａ）の間中、光変調層３１４を散乱状態に制御して、ＬＥＤ電流ｉよりも大きいＬＥＤ電流ｉ０を光源３０３ａ〜３０３ｊに供給している。
【０１１３】
なお、ここでいうアイドル時間は、面状光源装置３００から光を出射する場合に、常に出射する光の輝度に寄与しない時間である。アイドル時間は、散乱制御時間から制御時間（最大輝度を出射する場合に光変調層３１４を散乱状態に制御する時間）を減算した残りの時間であり、サイドライト光源３０２に近い領域では、出射する光の輝度によらず常に設けられている。
【０１１４】
ところで、通常、面状光源装置３００は、光源３０３ａ〜３０３ｊに供給するＬＥＤ電流が大きくなればなるほど、サイドライト光源３０２から導光体３１０に入射する光の輝度が高くなり、出射面からより高輝度な光を出射できるようになる。しかしながら、単純に図１１において光源３０３ａ〜３０３ｊに供給するＬＥＤ電流をｉからｉ0（＞ｉ）に変更すると、光源３０３ａ〜３０３ｊの許容損失を超える恐れがある。
【０１１５】
そこで、図１２では、表示装置１００は、アイドル時間に光源３０３ａ〜３０３ｊへのＬＥＤ電流の供給を停止し、制御時間にだけ光源３０３ａ〜３０３ｊにＬＥＤ電流を供給することで、許容損失を超えることなく供給可能なＬＥＤ電流の値を大きくしている。
【０１１６】
このような駆動パターンによれば、表示装置１００は、面状光源装置３００から出射可能な光の輝度の上限を上げることができる。これによれば、表示装置１００は、各領域のサイドライト光源３０２からの距離による光の減衰を、光変調層３１４を散乱状態に制御する時間の長さにより補正しつつ、より高輝度の光を面状光源装置３００から出射可能になる。その結果、表示装置１００は、画質の低下を抑止できる。
【０１１７】
なお、ある領域から出射する光を最大輝度以外に制御する場合、当該領域の制御時間の内の一部の時間において光変調層３１４が散乱状態に制御されないことがある。この場合には表示装置１００は、当該時間においてもＬＥＤ電流の供給を停止してもよい。
【０１１８】
［第４の実施形態］
次に第４の実施形態について説明する。なお、第２の実施形態と同じものには同じ符号を付し、説明は省略する。第３の実施形態では、表示装置１００は、アイドル時間にＬＥＤ電流の供給を停止し、制御時間にだけＬＥＤ電流を供給することで、許容損失を超えることなく供給可能なＬＥＤ電流の値を大きくし、高輝度の光の出射を可能にした。
【０１１９】
第４の実施形態では、表示装置１００は、光源ルックアップテーブルを参照して、アイドル時間を、追加の制御時間（以下、追加制御時間）として各領域に割り当てることで、より全体の輝度を向上させる態様を示す。
【０１２０】
具体的な駆動パターンについて図１３を用いて説明する。図１３は、第４の実施形態の面状光源装置の駆動パターンを示す図である。なお、図１３は、面状光源装置３００が、出射面全面から均一に最大輝度（白表示）の光を出射する場合の駆動パターンを示している。特に図１１との相違点を中心に説明する。
【０１２１】
ｔ2bと、ｔ3bと、ｔ4bの一部とが領域（１）に追加制御時間として割り当てられている。また、ｔ4bの一部と、ｔ5bの一部とが領域（２）に追加制御時間として割り当てられている。また、ｔ5bの一部と、ｔ6bの一部とが領域（３）に追加制御時間として割り当てられている。また、ｔ6bの一部が領域（４）に追加制御時間として割り当てられている。また、ｔ6bの一部が領域（５）に追加制御時間として割り当てられている。また、ｔ6bの一部が領域（６）に追加制御時間として割り当てられている。
【０１２２】
そして、面状光源装置３００は、ｔ1aと、ｔ2bと、ｔ3bと、ｔ4bの一部との間、領域（１）に対応する光変調層３１４を散乱状態に制御している。また、面状光源装置３００は、ｔ2aと、ｔ4bの一部と、ｔ5bの一部との間、領域（２）に対応する光変調層３１４を散乱状態に制御している。また、面状光源装置３００は、ｔ3aと、ｔ5bの一部と、ｔ6bの一部との間、領域（３）に対応する光変調層３１４を散乱状態に制御している。また、面状光源装置３００は、ｔ4aと、ｔ6bの一部との間、領域（４）に対応する光変調層３１４を散乱状態に制御している。また、面状光源装置３００は、ｔ5aと、ｔ6bの一部との間、領域（５）に対応する光変調層３１４を散乱状態に制御している。また、面状光源装置３００は、ｔ6aと、ｔ6bの一部との間、領域（６）に対応する光変調層３１４を散乱状態に制御している。
【０１２３】
なお、追加制御時間は、各領域から出射可能な光の最大輝度が均一になるように（追加制御時間により向上可能な光の輝度が各領域で均一になるように）、割り当てられている。表示装置１００は、光源ルックアップテーブルを参照して、距離による光の減衰を割り当てる時間の長さにより補正することで、各領域が追加制御時間により向上する輝度が各領域で同じになるように割り当てている。
【０１２４】
このような駆動パターンによれば、表示装置１００は、追加制御時間の分だけ面状光源装置３００から出射可能な光の輝度の上限を上げることができる。したがって、表示装置１００は、各領域のサイドライト光源３０２からの距離による光の減衰を、光変調層３１４を散乱状態に制御する時間の長さにより補正しつつ、より高輝度の光を面状光源装置３００から出射可能になる。その結果、表示装置１００は、画質の低下を抑止できる。
【０１２５】
また、表示装置１００は、各領域のアイドル時間を、サイドライト光源３０２から遠い領域に追加制御時間として割り当てている。つまり、追加制御時間は、既に制御時間を終了している領域（映像走査が終了済みの領域）に割り当てられている。これにより、表示装置１００は、画像表示パネル２００の画素２０１が映像走査されている間に、面状光源装置３００が当該画素２０１に光を照射するのを抑止できる。
【０１２６】
［第５の実施形態］
次に第５の実施形態について説明する。なお、第２の実施形態と同じものには同じ符号を付し、説明は省略する。第４の実施形態では、表示装置１００は、各領域のアイドル時間を、追加制御時間として各領域に割り当てた駆動パターンで面状光源装置３００を駆動することで、出射する光の輝度に寄与しない時間をなくし、高輝度の光の出射を可能にした。第５の実施形態では、各領域に対応する光変調層３１４を散乱状態に制御している間に導光体３１０から出射しきらなかった光（漏れ光）を利用することで、より全体の輝度を向上させる態様を示す。
【０１２７】
具体的な駆動パターンについて図１４を用いて説明する。図１４は、第５の実施形態の面状光源装置の駆動パターンを示す図である。なお、図１４は、面状光源装置３００が、出射面全面から均一に最大輝度（白表示）の光を出射する場合の駆動パターンを示している。特に図１３との相違点を中心に説明する。
【０１２８】
図１４では、面状光源装置３００は、制御時間ｔ2aの間、領域（２）に対応する光変調層３１４とともに、領域（２）よりもサイドライト光源３０２から遠い領域（１）に対応する光変調層３１４を散乱状態に制御している。また、面状光源装置３００は、制御時間ｔ3aの間、領域（３）に対応する光変調層３１４とともに、領域（３）よりもサイドライト光源３０２から遠い領域（２）に対応する光変調層３１４を散乱状態に制御している。また、面状光源装置３００は、制御時間ｔ4aの間、領域（４）に対応する光変調層３１４とともに、領域（４）よりもサイドライト光源３０２から遠い領域（３）に対応する光変調層３１４を散乱状態に制御している。また、面状光源装置３００は、制御時間ｔ5aの間、領域（５）に対応する光変調層３１４とともに、領域（５）よりもサイドライト光源３０２から遠い領域（４）に対応する光変調層３１４を散乱状態に制御している。また、面状光源装置３００は、制御時間ｔ6aの間、領域（６）に対応する光変調層３１４とともに、領域（６）よりもサイドライト光源３０２から遠い領域（５）に対応する光変調層３１４を散乱状態に制御している。
【０１２９】
通常、領域に対応する光変調層３１４を散乱状態に制御すると、導光体３１０の内部を当該領域まで導光された光は、当該領域から出射される。しかしながら、導光体３１０の内部を当該領域まで導光された光の内の一部の光は、導光体３１０から出射せずに、次の領域（散乱状態に制御した隣の領域）に進行する場合がある。
【０１３０】
そこで、図１４では、面状光源装置３００は、各領域の制御時間に、当該領域よりもサイドライト光源３０２から遠い領域（隣の領域）の光変調層３１４を同時に散乱状態に制御することで、各領域の制御時間中に出射しきらなかった光（漏れ光）を出射している。
【０１３１】
このような駆動パターンによれば、表示装置１００は、各領域の制御時間の間中に導光体３１０から出射しきらなかった光（漏れ光）を利用した分だけ面状光源装置３００から出射可能な光の輝度の上限を上げることができる。
【０１３２】
なお、ある領域から出射する光を最大輝度以外に制御する場合、当該領域の制御時間の内の一部の時間において光変調層３１４が散乱状態に制御されないことがある。この場合、当該時間においては、漏れ光を利用することができなくなる。しかしながら、当該時間においては、光が出射されることなく次の領域に進行するため、制御時間中の領域よりもサイドライト光源３０２から遠い領域は、漏れ光よりも多くの光を利用することができる。すなわち、表示装置１００は、漏れ光を利用した分の輝度の向上を、確実に、見込むことができる。したがって、このような駆動パターンによれば、表示装置１００は、漏れ光を利用した分だけ面状光源装置３００から出射可能な光の輝度の上限を上げることができる。
【０１３３】
これによれば、表示装置１００は、各領域のサイドライト光源３０２からの距離による光の減衰を、光変調層３１４を散乱状態に制御する時間の長さにより補正しつつ、より高輝度の光を面状光源装置３００から出射可能になる。その結果、表示装置１００は、画質の低下を抑止できる。
【０１３４】
なお、漏れ光の輝度は、表示装置１００に固有の（材料等に応じた）情報であるので、事前に、漏れ光の輝度値をテーブル形式で設定した輝度分布情報（漏れ光ルックアップテーブル）を作成し、光源データ記憶部１２２に記憶しておく。
【０１３５】
そして、駆動パターン決定部１２３は、各領域の要求輝度値と、光源ルックアップテーブル及び漏れ光ルックアップテーブルを参照して面状光源装置３００の駆動パターンを決定する。なお、駆動パターン決定部１２３は、制御時間の内の一部の時間において光変調層３１４が散乱状態に制御されない時間（漏れ光を利用できない時間）がある場合、当該時間については漏れ光ルックアップテーブルに替えて光源ルックアップテーブルを参照すればよい。
【０１３６】
なお、図１４に示したように、サイドライト光源３０２から一番近い領域（６）は、漏れ光を利用することができない。そこで、表示装置１００は、輝度ルックアップテーブル及び漏れ光ルックアップテーブルを参照し、他の領域が漏れ光を利用した分の輝度の向上を、領域（６）の追加制御時間または制御時間で補正する。例えば、表示装置１００は、他の領域が漏れ光を利用した場合に向上する出射可能な光の輝度の上限の分だけ、領域（６）に対して割り当てる追加制御時間の長さを長くする。
【０１３７】
このように、表示装置１００は、領域（６）について、漏れ光を利用できない分を、領域（６）の追加制御時間または制御時間で補正することで、各領域から出射可能な光の最大輝度を均一にすることができる。
【０１３８】
なお、図１４では、表示装置１００は、制御時間における漏れ光だけを利用しているがこれに限らない。例えば、表示装置１００は、追加制御時間における漏れ光についても同様に利用することができる。
【０１３９】
また、追加制御時間を割り当てていない場合（図１１の場合）にも同様に漏れ光を利用することができる。なお、この場合には、他の領域が漏れ光を利用した場合に向上する出射可能な光の輝度の上限の分だけ領域（６）の制御時間を長くすれば、各領域から出射可能な光の最大輝度を均一に保つことができる。
【０１４０】
［変形例］
次に図１４の変形例について図１５を用いて説明する。図１５は、第５の実施形態の駆動パターンの変形例を示す図である。なお、図１５は、面状光源装置３００が、出射面全面から均一に最大輝度（白表示）の光を出射する場合の駆動パターンを示している。特に図１４との相違点を中心に説明する。
【０１４１】
図１５では、面状光源装置３００は、追加制御時間と追加制御時間との間の時間も各領域に対応する光変調層３１４を散乱状態に制御している。具体的には、面状光源装置３００は、ｔ2bと、ｔ3aと、ｔ3bと、ｔ4aと、ｔ4bの一部とにおいて連続して領域（１）に対応する光変調層３１４を散乱状態に制御している。また、面状光源装置３００は、ｔ4bの一部と、ｔ5aと、ｔ5bの一部とにおいて連続して領域（２）に対応する光変調層３１４を散乱状態に制御している。また、面状光源装置３００は、ｔ5bの一部と、ｔ6aと、ｔ6bの一部とにおいて連続して領域（３）に対応する光変調層３１４を散乱状態に制御している。
【０１４２】
追加制御時間と追加制御時間との間の時間は、他の領域の制御時間に該当し、この時間では、漏れ光も既に利用されている。したがって、当該時間に領域に対応する光変調層３１４を散乱状態に制御しても輝度の向上という観点ではあまり期待できない。しかしながら、当該駆動パターンによれば、表示装置１００は、追加制御時間と追加制御時間との間の時間も散乱状態に制御するため、各領域に対応する光変調層３１４の散乱状態と非散乱状態との切り換え回数を減らすことができる。すなわち、表示装置１００は、面状光源装置３００の制御を容易にすることができる。
【０１４３】
［第６の実施形態］
次に第６の実施形態について説明する。なお、第２の実施形態と同じものには同じ符号を付し、説明は省略する。第４の実施形態では、面状光源装置３００は、領域の制御時間、及び追加制御時間として当該領域に割り当てられた他の領域のアイドル時間において当該領域を散乱状態に制御している。第６の実施形態では、表示装置１００は、制御時間と追加制御時間との合計の長さの散乱制御時間を割り当てた駆動パターンで面状光源装置３００を駆動することで、制御を容易にする。
【０１４４】
具体的な駆動パターンについて図１６を用いて説明する。図１６は、第６の実施形態の面状光源装置の駆動パターンを示す図である。なお、図１６は、面状光源装置３００が、出射面全面から均一に最大輝度（白表示）の光を出射する場合の駆動パターンを示している。特に図１３との相違点を中心に説明する。
【０１４５】
Ｔ１〜Ｔ６は、散乱制御時間を示している。Ｔ１は、図１３に示した領域（１）の制御時間（ｔ１ａ）と追加制御時間（ｔ２ｂとｔ３ｂとｔ４ｂの一部）とを合計した長さである。Ｔ２は、図１３に示した領域（２）の制御時間（ｔ２ａ）と追加制御時間（ｔ４ｂの一部とｔ５ｂの一部）とを合計した長さである。Ｔ３は、図１３に示した領域（３）の制御時間（ｔ３ａ）と追加制御時間（ｔ５ｂの一部とｔ６ｂの一部）とを合計した長さである。Ｔ４は、図１３に示した領域（４）の制御時間（ｔ４ａ）と追加制御時間（ｔ６ｂの一部）とを合計した長さである。Ｔ５は、図１３に示した領域（５）の制御時間（ｔ５ａ）と追加制御時間（ｔ６ｂの一部）とを合計した長さである。Ｔ６は、図１３に示した領域（６）の制御時間（ｔ６ａ）と追加制御時間（ｔ６ｂの一部）とを合計した長さである。すなわち、各領域は、散乱制御時間内にアイドル時間が生じないように、各領域のサイドライト光源３０２からの距離に応じた長さの散乱制御時間が割り当てられている。
【０１４６】
そして、面状光源装置３００は、領域（１）に対応する光変調層３１４にＴ1の間中、電圧差ｖに対応する電場を発生させて散乱状態に制御し、ＬＥＤ電流ｉに相当する光を導光体３１０に入射している。また、面状光源装置３００は、領域（２）に対応する光変調層３１４にＴ2の間中、電圧差ｖに対応する電場を発生させて散乱状態に制御し、ＬＥＤ電流ｉに相当する光を導光体３１０に入射している。同様に、面状光源装置３００は、領域（３）〜（６）に対応する光変調層３１４にＴ3〜Ｔ6の間中、電圧差ｖに対応する電場を発生させて散乱状態に制御し、ＬＥＤ電流ｉに相当する光を導光体３１０に入射している。
【０１４７】
このような駆動パターンによれば、表示装置１００は、各領域に対応する光変調層３１４の散乱状態と非散乱状態との切り換え回数を減らすことができる。すなわち、表示装置１００は、面状光源装置３００の制御を容易にすることができる。
【０１４８】
［第７の実施形態］
次に第７の実施形態について説明する。なお、第２の実施形態と同じものには同じ符号を付し、説明は省略する。第６の実施形態では、表示装置１００は、制御時間と追加制御時間との合計の長さの散乱制御時間を割り当てた駆動パターンで面状光源装置３００を駆動することで制御を容易にした。第７の実施形態では、各領域に対応する光変調層３１４を散乱状態に制御している間に導光体３１０から出射しきらなかった光（漏れ光）を利用することで、より全体の輝度を向上させる態様を示す。
【０１４９】
具体的な駆動パターンについて図１７を用いて説明する。図１７は、第７の実施形態の面状光源装置の駆動パターンを示す図である。なお、図１７は、面状光源装置３００が、出射面全面から均一に最大輝度（白表示）の光を出射する場合の駆動パターンを示している。特に図１６との相違点を中心に説明する。
【０１５０】
図１７では、面状光源装置３００は、散乱制御時間Ｔ2の間、領域（２）に対応する光変調層３１４とともに、領域（２）よりもサイドライト光源３０２から遠い領域（１）に対応する光変調層３１４を散乱状態に制御している。また、面状光源装置３００は、散乱制御時間Ｔ3の間、領域（３）に対応する光変調層３１４とともに、領域（３）よりもサイドライト光源３０２から遠い領域（２），（１）に対応する光変調層３１４を散乱状態に制御している。また、面状光源装置３００は、散乱制御時間Ｔ4の間、領域（４）に対応する光変調層３１４とともに、領域（４）よりもサイドライト光源３０２から遠い領域（３）〜（１）に対応する光変調層３１４を散乱状態に制御している。また、面状光源装置３００は、散乱制御時間Ｔ5のうちＴ5aの間（映像走査が行われていない間）、領域（５）に対応する光変調層３１４とともに、領域（５）よりもサイドライト光源３０２から遠い領域（４）〜（１）に対応する光変調層３１４を散乱状態に制御している。また、面状光源装置３００は、散乱制御時間Ｔ5のうちＴ5bの間（領域（１）の映像走査が行われている間）、領域（５）に対応する光変調層３１４とともに、領域（５）よりもサイドライト光源３０２から遠い領域（４）〜（２）に対応する光変調層３１４を散乱状態に制御している。また、面状光源装置３００は、散乱制御時間Ｔ6の間、領域（６）に対応する光変調層３１４とともに、領域（６）よりもサイドライト光源３０２から遠い領域（５）〜（２）に対応する光変調層３１４を散乱状態に制御している。
【０１５１】
すなわち、各領域の散乱制御時間に、当該領域よりもサイドライト光源３０２から遠く、なおかつ、映像操作が行われていない領域の光変調層３１４を同時に散乱状態に制御することで、各領域の散乱制御時間中に出射しきらなかった光（漏れ光）を出射している。
【０１５２】
このような駆動パターンによれば、表示装置１００は、各領域の散乱制御時間の間中に導光体３１０から出射しきらなかった光（漏れ光）を利用した分だけ面状光源装置３００から出射可能な光の輝度の上限を上げることができる。
【０１５３】
なお、漏れ光の輝度は、表示装置１００に固有の（材料等に応じた）情報であるので、事前に、漏れ光の輝度値をテーブル形式で設定した輝度分布情報（漏れ光ルックアップテーブル）を作成し、光源データ記憶部１２２に記憶しておく。
【０１５４】
そして、駆動パターン決定部１２３は、各領域の要求輝度値と、光源ルックアップテーブル及び漏れ光ルックアップテーブルを参照して面状光源装置３００の駆動パターンを決定する。なお、駆動パターン決定部１２３は、散乱制御時間の内の一部の時間において光変調層３１４が散乱状態に制御されない時間（漏れ光を利用できない時間）がある場合、当該時間については漏れ光ルックアップテーブルに替えて光源ルックアップテーブルを参照すればよい。
【０１５５】
なお、図１７に示したように、サイドライト光源３０２から一番近い領域（６）は、漏れ光を利用することができない。そこで、表示装置１００は、輝度ルックアップテーブル及び漏れ光ルックアップテーブルを参照し、他の領域が漏れ光を利用した分の輝度の向上を、領域（６）の散乱制御時間で補正する。例えば、表示装置１００は、他の領域が漏れ光を利用した場合に向上する出射可能な光の輝度の上限の分だけ、領域（６）に対して割り当てる散乱制御時間の長さを長くする。
【０１５６】
このように、表示装置１００は、領域（６）について、漏れ光を利用できない分を、領域（６）の散乱制御時間で補正することで、各領域から出射可能な光の最大輝度を均一にすることができる。
【０１５７】
なお、各領域の光変調層３１４を、当該領域の散乱制御時間、および当該領域よりもサイドライト光源３０２から近い領域の散乱制御時間のうち当該領域に映像走査がされていない間、散乱状態に制御するとして説明したがこれに限らない。たとえば、他の領域で既に漏れ光が利用されている場合、光変調層３１４を散乱状態に制御しても輝度の向上という観点ではあまり期待できない。そこで、各領域の光変調層３１４を、当該領域の散乱制御時間、および確実に漏れ光を利用できる時間（当該領域のサイドライト光源３０２側で隣接する領域の散乱制御時間）の間だけ、散乱状態に制御してもよい。
【０１５８】
なお、上記の処理機能は、コンピュータによって実現することができる。その場合、表示装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等がある。磁気記憶装置には、ハードディスクドライブ（ＨＤＤ：Hard Disk Drive）、フレキシブルディスク（ＦＤ）、磁気テープ等がある。光ディスクには、ＤＶＤ（Digital Versatile Disc）、ＤＶＤ−ＲＡＭ、ＣＤ（Compact Disc）−ＲＯＭ、ＣＤ−Ｒ（Recordable）／ＲＷ（ReWritable）等がある。光磁気記録媒体には、ＭＯ（Magneto-Optical disk）等がある。
【０１５９】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１６０】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムにしたがった処理を実行する。なお、コンピュータは、可搬型記録媒体から直接プログラムを読み取り、そのプログラムにしたがった処理を実行することもできる。また、コンピュータは、ネットワークを介して接続されたサーバコンピュータからプログラムが転送される毎に、逐次、受け取ったプログラムにしたがった処理を実行することもできる。
【０１６１】
また、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現することもできる。
【０１６２】
本技術の思想の範疇において、当業者であれば、各種の変更例及び修正例に想到し得るものであり、それら変更例及び修正例についても本技術の範囲に属するものと了解される。例えば、前述の各実施形態に対して、当業者が適宜、構成要素の追加、削除もしくは設計変更を行ったもの、または、工程の追加、省略もしくは条件変更を行ったものも、本技術の要旨を備えている限り、本技術の範囲に含まれる。
【０１６３】
また、本実施形態において述べた態様によりもたらされる他の作用効果について本明細書の記載から明らかなもの、または当業者において適宜想到し得るものについては、当然に本技術によりもたらされるものと解される。
【０１６４】
（１）開示される発明の一態様は、第１の方向に向かって順番に表示走査が行われる画像表示パネルと、
光を発光する光源と、前記画像表示パネルの背面に配置され、前記画像表示パネルと対向する面の側面から前記光を入射して前記第１の方向と反対方向の第２の方向に向かって前記光を導光するとともに、前記光を透過する透過状態または前記光を散乱する散乱状態に制御可能な光変調層が前記第２の方向と交差する方向に分割された複数の領域に配置される導光体と、を備える光源装置と、
時間的に重複しないように前記第１の方向に向かって各領域に順番に割り当てられた各領域に対応する前記光変調層の散乱制御時間内に、各領域から前記画像表示パネルに対して出射する前記光の強度に応じて、各領域に対応する前記光変調層を各領域の前記側面からの距離に応じた時間の長さ散乱状態に制御する制御装置と、
を有する表示装置である。
【０１６５】
（２）開示される発明の一態様は、前記複数の領域は、第１の領域と前記第１の領域よりも前記側面から離間した第２の領域を含み、
前記制御装置は、
前記第１の領域の前記散乱制御時間内の前記第１の領域に対応する前記光変調層を散乱状態に制御していないアイドル時間に、前記第１の領域または前記第２の領域に対応する前記光変調層を散乱状態に制御可能にして、各領域から前記画像表示パネルに対して出射可能な前記光の強度の上限を均一に上昇させる、
（１）に記載の表示装置である。
【０１６６】
（３）開示される発明の一態様は、前記複数の領域は、第１の領域と前記第１の領域よりも前記側面から離間した第２の領域を含み、
前記制御装置は、
前記第１の領域の前記散乱制御時間に前記第１の領域に対応する前記光変調層を散乱状態に制御するとともに、前記第２の領域の前記光変調層も散乱状態に制御する、
（１）に記載の表示装置である。
【０１６７】
（４）開示される発明の一態様は、各領域の前記散乱制御時間の間中に各領域に対応する前記光変調層を散乱状態に制御した場合に各領域から前記画像表示パネルに対して出射する前記光の強度が均一である、
（１）に記載の表示装置である。
【０１６８】
（５）開示される発明の一態様は、画像表示パネルと、
光を発光する光源と、前記画像表示パネルの背面に配置され、前記画像表示パネルと対向する面の側面から前記光を入射するとともに、前記光を透過する透過状態または前記光を散乱する散乱状態に制御可能な光変調層が前記光の進行方向と交差する方向に分割された複数の領域に配置された導光体と、を備える光源装置と、
時間的に重複しないように設定された各領域に対応する前記光変調層の散乱制御時間内に、各領域から前記画像表示パネルに対して出射する前記光の強度に応じて、各領域の前記側面からの距離に応じた時間の長さで各領域に対応する前記光変調層を散乱状態に制御するとともに、各領域に割り当てられた前記散乱制御時間内の各領域に対応する前記光変調層を散乱状態に制御していない時間に前記光源からの前記光の発光を停止する制御装置と、
を有する表示装置である。
【符号の説明】
【０１６９】
１・・・表示装置、１０・・・画像表示パネル、２０・・・光源装置、２１・・・光源、２２・・・導光体、２２ａ〜２２ｆ・・・領域、２３・・・側面、３０・・・制御装置
【図１】
0006501690.tif 000002
【図２】
0006501690.tif 000003
【図３】
0006501690.tif 000004
【図４】
0006501690.tif 000005
【図５】
0006501690.tif 000006
【図６】
0006501690.tif 000007
【図７】
0006501690.tif 000008
【図８】
0006501690.tif 000009
【図９】
0006501690.tif 000010
【図１０】
0006501690.tif 000011
【図１１】
0006501690.tif 000012
【図１２】
0006501690.tif 000013
【図１３】
0006501690.tif 000014
【図１４】
0006501690.tif 000015
【図１５】
0006501690.tif 000016
【図１６】
0006501690.tif 000017
【図１７】
0006501690.tif 000018